(57)【要約】【課題】開閉時に扉を開口に対して安定して案内することのできる扉機構を提供する。【解決手段】開口Ａを閉鎖可能な扉１０５と、支持固定軸Ｆ１１回りに回動可能とされているとともに支持移動軸Ｍ１１回りに回動可能とされ扉１０５を支持する支持アーム１６０と、案内固定軸Ｆ１２回りに回動可能とされているとともに案内移動軸Ｍ１２回りに回動可能とされ扉１０５の開閉時の移動を案内する案内アーム１７０と、開口Ａに交差し開口Ａの奥方向に延びて当該開口Ａ側である内側Ｂと外側Ｃとを隔てる側壁１３５と、を備え、扉１０５が開放された状態において扉１０５を側壁１３５に沿って配置可能な扉機構１１０であって、扉１０５が閉鎖された状態において案内移動軸Ｍ１２は、支持移動軸Ｍ１１よりも開口Ａから離間している。【選択図】図１
2020066882.tif 000002
【特許請求の範囲】
【請求項１】
開口を閉鎖可能な扉と、支持固定軸回りに回動可能とされているとともに支持移動軸回りに回動可能とされ前記扉を支持する支持アームと、案内固定軸回りに回動可能とされているとともに案内移動軸回りに回動可能とされ前記扉の開閉時の移動を案内する案内アームと、前記開口に交差し当該開口の奥方向に延びて当該開口側である内側と外側とを隔てる側壁と、を備え、前記扉が開放された状態において当該扉を前記側壁に沿って配置可能な扉機構であって、
前記扉が閉鎖された状態において前記案内移動軸は、前記支持移動軸よりも前記開口から離間していることを特徴とする扉機構。
【請求項２】
前記案内移動軸は、前記案内アームの途中に設けられていることを特徴とする請求項１に記載の扉機構。
【請求項３】
前記支持移動軸を回動中心とする前記案内移動軸の支持誘導軌跡、及び前記案内固定軸を回動中心とする前記案内移動軸の案内誘導軌跡は、前記扉が閉鎖された状態において交差角度が４５度以上であることを特徴とする請求項１または２に記載の扉機構。
【請求項４】
前記扉が閉鎖された状態において前記案内固定軸は、前記側壁から当該側壁と交差する内側方向に離間して配置されていることを特徴とする請求項１ないし３のいずれかに記載の扉機構。
【請求項５】
前記扉が閉鎖された状態において前記案内アームは、前記開口及び前記側壁を備える筐体内に配置されており、
前記案内固定軸は、前記筐体が有する水平方向に延びるフレームに配置・支持されていることを特徴とする請求項４に記載の扉機構。
【請求項６】
前記案内固定軸と前記案内移動軸との離間距離は、前記開口から前記案内固定軸までの離間距離よりも小さいことを特徴とする請求項１ないし５のいずれかに記載の扉機構。
【発明の詳細な説明】
【技術分野】
【０００１】
本発明は、開口を開閉する扉機構に関する。
【背景技術】
【０００２】
扉機構として、一般的に扉を回動させて開口を開閉する扉機構が知られている。このような扉機構は、扉を一つの回動軸を基点に回動させるものであり、構造が簡単である一方、開放時に扉の自由端は開口の前方において円弧を描いて移動するため、開口の前方側に大きなスペースが必要となっていた。このことから、二つの回動軸により回動可能とされたアームを用いることで扉を開口の前方においてコンパクトに回動可能な扉機構が開発されている。
【０００３】
例えば、特許文献１に示されるアームを用いた扉機構は、前方側に開口を有する箱状の本体に、開口を閉鎖可能な扉が支持アーム及び案内アームを用いて連結されることで構成されている。支持アームは、平面視Ｕ字状に形成され、主に扉の荷重を支持するものであり、扉に対して回動可能に配置され当該扉と共に移動する支持移動軸と、本体の側壁に対して回動可能に配置され当該側壁に固定的に支持される支持固定軸とを有している。案内アームは、平面視Ｌ字状に形成され、主に開閉時に扉の移動を案内するものであり、扉に対して回動可能に配置され当該扉と共に移動する案内移動軸と、本体の側壁に対して回動可能に配置され当該側壁に固定的に支持される案内固定軸とを有している。扉の開放操作を行うと、支持移動軸及び案内移動軸は側壁の外側に移動するとともに、支持移動軸は開口よりも後方側へと移動する。このように両方のアームが協働することで、開口の前方で扉を側壁側へ横滑りするように移動させながら、開放が進むほどに扉の端部（閉鎖状態において側壁側の端部）を開口よりも後方に引き込むように移動させるため、扉を開口の前方においてコンパクトに回動可能となっている。
【先行技術文献】
【特許文献】
【０００４】
【特許文献１】特開２０００−１６０９２１号公報（第３頁、第３図）
【発明の概要】
【発明が解決しようとする課題】
【０００５】
しかしながら、特許文献１に示される扉機構９１０は、図８に示されるように、扉９０５が閉鎖された状態において、案内アーム９７０の案内固定軸Ｆ９２を回動中心とする案内誘導軌跡Ｔ９２と、支持アーム９６０の支持移動軸Ｍ９１を回動中心とする支持誘導軌跡Ｔ９１との交差角度θ９１が小さく、両誘導軌跡Ｔ９１，Ｔ９２が互いに近接しており、案内アーム９７０の案内移動軸Ｍ９２は開閉時におけるいわゆる思案点に近い状態となっているため、開閉時に扉９０５に揺動が生じやすく扉９０５の移動が安定しないという問題があった。
【０００６】
本発明は、このような問題点に着目してなされたもので、開閉時に扉を開口に対して安定して案内することのできる扉機構を提供することを目的とする。
【課題を解決するための手段】
【０００７】
前記課題を解決するために、本発明の扉機構は、
開口を閉鎖可能な扉と、支持固定軸回りに回動可能とされているとともに支持移動軸回りに回動可能とされ前記扉を支持する支持アームと、案内固定軸回りに回動可能とされているとともに案内移動軸回りに回動可能とされ前記扉の開閉時の移動を案内する案内アームと、前記開口に交差し当該開口の奥方向に延びて当該開口側である内側と外側とを隔てる側壁と、を備え、前記扉が開放された状態において当該扉を側壁に沿って配置可能な扉機構であって、
前記扉が閉鎖された状態において前記案内移動軸は、前記支持移動軸よりも前記開口から離間していることを特徴としている。
この特徴によれば、扉が閉鎖された状態において案内移動軸は、支持移動軸よりも開口から離間していることから、支持移動軸を回動中心とした案内移動軸の支持誘導軌跡と、案内固定軸を回動中心とした案内移動軸の案内誘導軌跡との交差角度が大きく、両誘導軌跡が離れており、案内誘導軌跡に沿って扉を誘導しやすく、開閉時に扉を安定して案内することができる。
【０００８】
前記案内移動軸は、前記案内アームの途中に設けられていることを特徴としている。
この特徴によれば、扉が閉鎖された状態において、簡素な構成で、案内移動軸を開口から離間させて配置することができる。
【０００９】
前記支持移動軸を回動中心とする前記案内移動軸の支持誘導軌跡、及び前記案内固定軸を回動中心とする前記案内移動軸の案内誘導軌跡は、前記扉が閉鎖された状態において交差角度が４５度以上であることを特徴としている。
この特徴によれば、支持誘導軌跡と、案内誘導軌跡とが十分に離間する方向に伸びているため、扉を確実に案内することができる。
【００１０】
前記扉が閉鎖された状態において前記案内固定軸は、前記側壁から当該側壁と交差する内側方向に離間して配置されていることを特徴としている。
この特徴によれば、案内固定軸と案内移動軸との距離を短くすることができるため、案内誘導軌跡の円弧の径を短くして、該円弧の曲率を大きくできることから、支持誘導軌跡と案内誘導軌跡とがより離間する。
【００１１】
前記扉が閉鎖された状態において前記案内アームは、前記開口及び前記側壁を備える筐体内に配置されており、
前記案内固定軸は、前記筐体が有する水平方向に延びるフレームに配置・支持されていることを特徴としている。
この特徴によれば、支持強度を有するフレームで案内アームを支持可能なため、簡素な構成で案内アームの支持に必要な強度が得られる。
【００１２】
前記案内固定軸と前記案内移動軸との離間距離は、前記開口から前記案内固定軸までの離間距離以下であることを特徴としている。
この特徴によれば、扉の開閉動作途中に案内移動軸が開口よりも外側に突出することを防止して、案内アームに接触することによる怪我の発生を防止することができる。
【図面の簡単な説明】
【００１３】
【図１】本発明の実施の形態における扉機構を模式的に示す平面図である。
【図２】本発明の実施例における扉機構が採用された展示ケースを示す斜視図である。
【図３】扉機構が採用された展示ケースの扉を開放した状態を示す斜視図である。
【図４】扉機構が採用された展示ケースの分解斜視図である。
【図５】支持アーム機構を示す斜視図である。
【図６】扉が閉鎖された状態における扉機構を示す平面図である。
【図７】（ａ）〜（ｆ）は、扉の開閉動作を模式的に示す平面図である。
【図８】（ａ）〜（ｃ）は、本発明の扉機構が適用される筐体の一例を示す平面図である。
【図９】従来技術の扉機構を示す平面図である。
【発明を実施するための形態】
【００１４】
本発明に係る扉機構を実施するための形態を説明する。
【実施の形態】
【００１５】
本発明の実施の形態に係る扉機構につき、図１を参照して説明する。
【００１６】
図１に示されるように、扉機構１１０は、開空間Ａ（開口）を閉鎖可能な扉１０５と、扉１０５に取り付けられ扉１０５を回動支持する２つのアームである支持アーム１６０及び案内アーム１７０と、開空間Ａ（閉位置における扉１０５）に交差し当該開空間Ａの奥方向に延びて当該開空間Ａ側である内側Ｂと外側Ｃとを隔てる側壁１３５と、を備えており、扉１０５は閉位置で開空間Ａを塞ぎ、扉１０５は開位置で側壁１３５の外側Ｃにて当該側壁１３５と略平行となり開空間Ａを開放する（二点鎖線参照）ようになっている。
【００１７】
支持アーム１６０は、固定部に対して相対的に回動可能に配置され固定部に固定的に支持される支持固定軸Ｆ１１と、扉１０５に対して相対的に回動可能に配置され扉１０５と共に移動する支持移動軸Ｍ１１とにより、主に扉１０５の荷重を支持するものである。また、案内アーム１７０は、固定部に対して相対的に回動可能に配置され固定部に固定的に支持される案内固定軸Ｆ１２と、扉１０５に対して相対的に回動可能に配置され扉１０５と共に移動する案内移動軸Ｍ１２とにより、主に扉１０５の移動を案内するものである。      
【００１８】
扉１０５が閉鎖された状態において案内移動軸Ｍ１２は、支持移動軸Ｍ１１よりも開空間Ａから離間していることから、支持移動軸Ｍ１１を回動中心とした案内移動軸Ｍ１２の支持誘導軌跡Ｔ１１と、案内固定軸Ｆ１２を回動中心とした案内移動軸Ｍ１２の案内誘導軌跡Ｔ１２との交差角度θ１１が大きく、両誘導軌跡Ｔ１１，Ｔ１２が離間する方向に伸びており、案内誘導軌跡Ｔ１２に沿って扉１０５を誘導しやすく、開閉時に扉１０５を安定して案内することができるようになっている。
【００１９】
上述したように、扉機構１１０は、開空間Ａを閉鎖可能な扉１０５を支持アーム１６０及び案内アーム１７０を用いて側壁１３５の外側Ｃに開放可能な構成であれば様々な装置に適用することができる。その具体例として、本発明に係る展示ケースに適用した扉機構を実施例に基づいて以下に説明する。
【実施例】
【００２０】
実施例に係る扉機構につき、図２から図７を参照して説明する。
【００２１】
また、本実施例においては、展示ケースの扉が閉鎖された状態を基準に、展示ケースの内側に面する各面を内面、展示ケースの外側に面する各面を外面として説明する。
【００２２】
本実施例に係る扉機構１０（図３参照）は、美術館、博物館等で彫刻、美術品、骨董品、宝石等の展示品を展示する展示ケース１に使用されている。展示ケース１は、図２に示されるように、扉５が閉鎖された状態では、展示ケース１の隙間を密封し、内側４Ｂの気密性を高め、展示ケース１内の湿度を一定に保ち、外気に含まれる汚染物質の侵入を防止して、展示品の劣化を抑制できるようになっているとともに、図３に示されるように、扉５が開放された状態では、扉５が側壁３５の外側へ沿った位置に配置されているため、展示品の出し入れや展示品のメンテナンスを容易に行うことができるようになっている。
【００２３】
図２〜図４に示されるように、展示ケース１は、前方側に開口３Ａを有する箱状の基礎筐体３上に開口４Ａを有する箱状の展示筐体４が連結されて構成される本体２と、基礎筐体３の開口３Ａ及び展示筐体４の開口４Ａを閉鎖可能な扉５（扉機構１０）と、本体２に固定され扉５を開閉動作可能に連結する支持アーム機構６（扉機構１０）及び案内アーム機構７（扉機構１０）と、から主に構成されている。支持アーム機構６及び案内アーム機構７は、両端部それぞれに蝶番を備えたいわゆる二軸蝶番構造とされており、扉５が開放された状態において扉５を基礎筐体３の側壁３５の外側に沿った状態で配置可能となっている。
【００２４】
まず、図４を用いて、基礎筐体３について説明する。基礎筐体３は、直方体状のフレーム３０の右側面、後側面、左側面にそれぞれ側壁３５，３６，３７が固定され、上側面に気密板３９が固定され、気密板３９の中央部に載置台３８が固定されることによって構成されており、開口３Ａ側である内側３Ｂと外側Ｃとが隔てられている。特に、扉５が開放される側に配置された側壁３５について詳しくは、後述する縦杆部材３０ｃを挟んで開口３Ａ（閉鎖された状態の扉５（図６参照））に対して直交し開口３Ａの奥方向に延びている。
【００２５】
フレーム３０は、左右方向に延びる前後一対の幅杆部材３０ａ，３０ａと前後方向に延びる左右一対の奥行杆部材３０ｂ，３０ｂとが連結された平面視正方形状の四方枠を２つ形成し、これら２つの四方枠を上下方向に離間配置して、上下方向に対向する各角部同士を上下方向に延びる縦杆部材３０ｃ，３０ｃ，３０ｃ，３０ｃで連結して形成されている。また、前方側上下の幅杆部材３０ａ，３０ａと前方側左右の縦杆部材３０ｃ，３０ｃとによって開口縁３０ｆが形成され、開口縁３０ｆは開口３Ａを画成している。
【００２６】
また、フレーム３０の下方側の四方枠内には、左右方向中央部に前後方向に延びる中央奥行杆部材３０ｄが渡設されており、この中央奥行杆部材３０ｄと左右それぞれの奥行杆部材３０ｂとの間における前後方向中央部に左右方向に延びる中央幅杆部材３０ｅが渡設されている。これらにより、フレーム３０の構造強度が高められている。
【００２７】
また、基礎筐体３は、ロック機構８及び扉５をマグネットに着磁させて仮固定位置に保持するキャッチャ９を備えている。ロック機構８は、側壁３７を開放して図示しないハンドルが操作されることで、仮固定位置の扉５を閉鎖位置にロックするものである。
【００２８】
次に、図２〜図４を用いて、展示筐体４について説明する。展示筐体４は、側面視長方形状のガラス側板４１，４２，４３、平面視正方形状のガラス天板４８、及び基礎筐体３の気密板３９の縁部同士を、図示しないコーキング剤によって気密に固着して構成されており、開口４Ａ側である内側４Ｂと外側Ｃとが隔てられている。また、ガラス側板４１，４３の前端面は、気密板３９の前端面と略同一平面を成している（図３参照）。
【００２９】
また、本体２には、図３に示されるように、ガラス側板４１，４３の上端からフレーム３０の上端に亘って、それらの前端面に沿ってパッキンＰ１，Ｐ１が接着剤で固着されている。また、ガラス天板４８の前端面、気密板３９の前端面それぞれに沿ってパッキンＰ２，Ｐ２が接着剤で固着されており、各パッキンＰ２はパッキンＰ１，Ｐ１に亘っている。
【００３０】
次に、扉５について説明する。図４を参照して、扉５は、金属製の薄板の両側端部を折り曲げて平面視Ｃ字状に形成された側壁５５のスリットに上方から挿入した側面視長方形状のガラス側板５０と、側壁５５の内面側にて当該側壁５５の前端面と対向配置される薄板状の支持板材５６と、側壁５５とをコーキング剤で固着することにより形成されている。尚、説明の都合上、扉５の開閉操作時における案内アーム機構７よりも支持アーム機構６側を内径側として、側壁３５側の扉５の側端部（右側端部）を内径側端部５Ｒ、反対側の側端部（左側端部）を外径側端部５Ｌとする。
【００３１】
図４を参照して、側壁５５は、金属の薄板を板金加工して側面視長方形状の板状に形成されている。図６を参照して、支持板材５６は、着磁性を有する金属の薄板であり、その内面側には、外径側端部５Ｌ側の下端部から内面側に突出し、案内アーム機構７が取り付けられるプレート状の扉側取付部材５１が固定されている。尚、扉側取付部材５１はプレート状に限らず、ブロック状やフレーム状であってもよく、その形状が限定されるものではない。
【００３２】
次に、図５，図６を用いて、支持アーム機構６について説明する。尚、以降の説明については、主に基礎筐体３側について説明し、特に断らない限り展示筐体４側の説明を省略する。さらに尚、図６，図７では、説明の都合上、フレーム３０の上方側の四方枠の図示を省略している。
【００３３】
図５，図６を参照して、支持アーム機構６は、平面視Ｊ字状に形成された２つの管状の支持アーム６０を上下方向に離間配置し、各短管部６０ａ同士を上下方向に延びるＣ字チャンネル杆状の連結杆６５で連結し、各長管部６０ｃ同士を上下方向に延びるＣ字チャンネル杆状の連結杆６８で連結することで形成されている。尚、短管部６０ａ及び長管部６０ｃは、直線状に延びる連結部６０ｂにより連結され、互いに略平行となっている。
【００３４】
支持アーム機構６のフレーム３０に固定される側について説明する。連結杆６５の上下端部それぞれに連結板６６ａ、支持固定軸Ｆ１及び連結板６６ｂからなる固定軸支部６６が設けられている。連結板６６ａは連結杆６５の上端部または下端部にボルトナットで固定され、連結板６６ａと連結板６６ｂとは支持固定軸Ｆ１により連結され、連結板６６ｂはフレーム３０の幅杆部材３０ａに側壁３５から離間して固定されている。連結板６６ａは支持固定軸Ｆ１を基点として垂直軸回りに回動可能となっている。
【００３５】
支持アーム機構６の扉５に固定される側について説明する。連結杆６８の側端部の上下端部それぞれに連結板６９ａ、支持移動軸Ｍ１及び連結板６９ｂからなる移動軸支部６９が設けられている。連結板６９ａは連結杆６８の側端部の上端部または下端部にボルトナットで固定され、連結板６９ａと連結板６９ｂとは支持移動軸Ｍ１により連結され、連結板６９ｂは扉５の幅方向中央部にて支持板材５６の上端部または下端部に固定されている。連結板６９ａ，６９ｂは、それぞれ支持移動軸Ｍ１を基点として垂直軸回りに回動可能に構成されている。
【００３６】
次に、図６を用いて、案内アーム機構７について説明する。案内アーム機構７は、プレート状のフレーム側取付部材７３と、金属製の直管を折り曲げることで平面視Ｌ字状に形成された本体片７２と、金属製の直管を折り曲げることで平面視Ｌ字状に形成された延設片７１と、から主に構成されている。尚、フレーム側取付部材７３はプレート状に限らず、ブロック状やフレーム状であってもよく、その形状が限定されるものではない。
【００３７】
延設片７１は、直線状に延びる短管部７１ａの端部から長管部７１ｂが略垂直方向に延びており、延設片７１の長管部７１ｂの端部は、扉５の扉側取付部材５１に回動不能にボルトナットにより固定されている。
【００３８】
本体片７２は、直線状に延びる短管部７２ａの端部から長管部７２ｂが略垂直方向に延びており、本体片７２の長管部７２ｂの端部は、延設片７１の短管部７１ａの端部に案内移動軸Ｍ２によって垂直軸回りに回動可能に軸支されている。これら延設片７１、案内移動軸Ｍ２及び本体片７２により案内アーム７０が構成されている。
【００３９】
また、本体片７２の短管部７２ａの端部は、フレーム側取付部材７３に案内固定軸Ｆ２によって垂直軸回りに回動可能に軸支されており、フレーム側取付部材７３はフレーム３０の中央幅杆部材３０ｅにボルトナットによって回動不能に固定されている。このように、案内固定軸Ｆ２は、側壁３５と開口３Ａとから離間してフレーム３０の下方側の四方枠の略中央部に配置されている。
【００４０】
また、扉５が閉鎖された状態において案内移動軸Ｍ２は支持移動軸Ｍ１よりも開口３Ａから離間して内側Ｂに配置されるとともに、支持移動軸Ｍ１は案内固定軸Ｆ２と案内移動軸Ｍ２との略中央に位置している。
【００４１】
次に、図６，図７を用いて、扉５の開放について説明する。まず、図７(ａ)を参照して、扉５が閉鎖された状態においてロック機構８による扉５のロックを解除する。次いで、扉５の開放操作を開始すると、扉５は、支持アーム機構６に支持されながら当該支持アーム機構６の回動に伴って移動し始める。扉５が閉鎖された状態において、支持固定軸Ｆ１と支持移動軸Ｍ１とを結ぶ線分Ｌ３と、案内固定軸Ｆ２と案内移動軸Ｍ２とを結ぶ線分Ｌ２とが略並行になっているため、扉５の移動が案内アーム機構７に案内されて、図７（ｂ），（ｃ）に示されるように、開口３Ａに対して略平行に前方側へと移動する。これにより、開放時にパッキンＰ１，Ｐ２に対してねじれ方向に作用する力を低減することができるため、扉５は円滑に開放方向に移動できる。
【００４２】
図６を参照して、詳しくは、支持移動軸Ｍ１を回動中心とした案内移動軸Ｍ２の支持誘導軌跡Ｔ１は、支持移動軸Ｍ１と案内移動軸Ｍ２とを結ぶ線分Ｌ１を半径とした円弧となる。扉５が閉鎖された状態において案内移動軸Ｍ２は、支持移動軸Ｍ１よりも開口３Ａから離間しているとともに、支持移動軸Ｍ１よりも外径側端部５Ｌ側へ離間している。この位置は扉５の開放を開始する時の支持誘導軌跡Ｔ１の始点となっている。
【００４３】
また、案内固定軸Ｆ２を回動中心とした案内移動軸Ｍ２の案内誘導軌跡Ｔ２は、案内固定軸Ｆ２と案内移動軸Ｍ２とを結ぶ線分Ｌ２を半径とした円弧となる。扉５が閉鎖された状態において案内移動軸Ｍ２は、案内固定軸Ｆ２よりも開口３Ａに近接しているとともに、案内固定軸Ｆ２よりも外径側端部５Ｌ側へ離間している。この位置は扉５の開放を開始する時の案内誘導軌跡Ｔ２の始点となっている。
【００４４】
そして、案内移動軸Ｍ２上にて交差する支持誘導軌跡Ｔ１及び案内誘導軌跡Ｔ２は、扉５が閉鎖された状態において、交差角度θ１（略６０度）が大きく、相対的に離間する方向へ延びていることから、扉５は扉５の開放方向（側壁３５）側へ延びる案内誘導軌跡Ｔ２に沿って扉５を誘導されやすく、閉鎖された状態から扉５を安定して開方向に案内することができる。交差角度θ１として略６０度である例について説明したが、好ましくは４５度以上であればよく、９０度前後であればほぼいわゆる思案点が生じないこととなる。
【００４５】
尚、交差角度θ１は、接弦定理により、線分Ｌ１と線分Ｌ２との交差角度θ２と等しい。このことから、交差角度θ２を考慮して支持移動軸Ｍ１、案内移動軸Ｍ２、及び案内固定軸Ｆ２の配置を決めるようにしてもよい。
【００４６】
図７（ｃ）の状態から扉５の開放を進めると、図７（ｄ）に示されるように、内径側端部５Ｒが側壁３５側（右側）にスライド移動して側壁３５を越えて外側に突出するとともに、開放が進むほどに内径側端部５Ｒが開口３Ａの後方へ引き込まれるように扉５が傾きながら外径側端部５Ｌが前方へと突出して、図７（ｅ）に示されるように、側壁３５の外側へと回り込み始める。
【００４７】
また、図７（ｄ）においては、案内固定軸Ｆ２、案内移動軸Ｍ２、及び延設片７１の長管部７１ｂの自由端部が固定された扉５の扉側取付部材５１（図６，図７参照）が略直線状に並んだ状態であり、案内固定軸Ｆ２と延設片７１の長管部７１ｂの自由端部との離間距離が略最大であり、扉５が前方側へ最も突出したその寸法は、扉５の幅寸法と比較して略半部である。すなわち、案内アーム機構７によって扉５を案内することによって、扉５開放時に、開口３Ａの前方に必要なスペースを扉５の幅寸法よりも小さくすることができる。
【００４８】
図７（ｅ）の状態から扉５の開放を進めると、図７（ｆ）に示されるように、支持アーム機構６の連結部６０ｂと延設片７１の長管部７１ｂとが略平行に配置され、側壁３５と支持アーム機構６の長管部６０ｃと扉５とが略平行に配置され、扉５の開放操作が完了し、扉５が開放された状態となる。
【００４９】
また、扉５の閉鎖については、上述した扉５の開放を逆の手順で（図７（ｆ）〜（ａ）の順）で行えばよい。図６を参照して、扉５開放の開始時と同様に閉鎖の終了時においても、案内移動軸Ｍ２上にて交差して開口３Ａから離間方向に延びる支持誘導軌跡Ｔ１及び案内誘導軌跡Ｔ２は、交差角度θ１の対頂角である交差角度θ３が大きく（略６０度）、相対的に離間する方向へ延びていることから、扉５の閉鎖方向（側壁３５とは反対）側へ延びる案内誘導軌跡Ｔ２に沿って扉５を誘導しやすいため、閉鎖時に扉５を安定して案内することができる。
【００５０】
以上説明してきたように、本実施例の扉機構１０は、案内移動軸Ｍ２は、案内アーム７０の途中に設けられていることから、扉５が閉鎖された状態において、簡素な構成で、案内移動軸Ｍ２を開口３Ａから離間させて配置することができる。
【００５１】
また、扉５が閉鎖された状態において案内固定軸Ｆ２は、側壁３５から当該側壁３５と直交する内側Ｂ方向に側へ離間して配置されていることから、案内固定軸Ｆ２と案内移動軸Ｍ２とを結ぶ線分Ｌ２を短くすることができるため、案内誘導軌跡Ｔ２の円弧の径を短くして、該円弧の曲率を大きくできることから、支持誘導軌跡Ｔ１と案内誘導軌跡Ｔ２とがより離間する。
【００５２】
また、案内固定軸Ｆ２は、水平方向に延びる中央幅杆部材３０ｅに配置・支持されていることから、支持強度を有するフレーム３０で案内アーム７０を支持可能なため、簡素な構成で案内アーム７０の支持に必要な強度が得られる。
【００５３】
また、案内固定軸Ｆ２と案内移動軸Ｍ２との離間距離である線分Ｌ２の寸法は、開口３Ａから案内固定軸Ｆ２までの離間距離である寸法Ｓよりも僅かに短い略同一寸法であるため、図７（ｄ）〜（ｆ）に示されるように、扉５の開閉動作途中に案内移動軸Ｍ２が開口３Ａよりも外側Ｃに突出することを防止して、案内アーム７０に接触することによる怪我の発生を防止することができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、支持アーム機構６は、支持アーム６０の一端に連結板６６ａ、支持固定軸Ｆ１及び連結板６６ｂを備えた固定軸支部６６、他端に連結板６９ａ、支持移動軸Ｍ１及び連結板６６ｂを備えた移動軸支部６９からなるいわゆる二軸蝶番構造の態様として説明したが、これに限らず、支持アームの両端部にピン（軸）が形成され該ピンがフレーム３０または扉５に設けられた貫通孔（軸受）に挿通されて垂直軸回りに回動可能に軸支されていてもよく、支持アームの両端部に形成された貫通孔にフレーム３０または扉５に設けられたピンが挿通されて垂直軸回りに回動可能に軸支されていてもよい。案内アーム７０についても同様である。
【００５６】
支持アーム機構６は、固定軸支部６６の連結板６６ｂが幅杆部材３０ａ，３０ａに固定されている態様として説明したが、これに限らず、載置台３８または底板に固定されていてもよく、開口３Ａ側の縦杆部材３０ｃ，３０ｃに渡設された梁材に固定されていてもよく、限定されるものではない。より詳しくは、支持アーム機構６（支持アーム６０）及び案内アーム機構７（案内アーム７０）の回動軌跡を確保して、支持固定軸Ｆ１を固定部に取り付け可能な構成であればよい。
【００５７】
また、案内アーム７０は、延設片７１及び本体片７２が案内移動軸Ｍ２によって連結されることで構成されている態様として説明したが、これに限らず、一部材で形成されたその両端部に案内移動軸及び案内固定軸を有する態様であってもよく、限定されるものではない。さらに、扉が内面側に延出する延出部を備え、該延出部に本体片７２が案内移動軸Ｍ２によって連結されている態様であってもよい。
【００５８】
また、案内アーム機構７は、フレーム側取付部材７３が中央幅杆部材３０ｅに固定されている態様として説明したが、これに限らず、中央奥行杆部材３０ｄや中央幅杆部材３０ｅに直接軸支されていてもよく、載置台３８や底板に軸支されていてもよく、対角線上に位置する縦杆部材３０ｃ，３０ｃに渡設される梁材等に軸支されていてもよく、限定されるものではない。より詳しくは、支持アーム機構６（支持アーム６０）及び案内アーム機構７（案内アーム７０）の回動軌跡を確保して、案内固定軸Ｆ２を固定部に取り付け可能な構成であればよい。
【００５９】
展示筐体４及び基礎筐体３は、平面視矩形状である態様として説明したが、これに限らず、前記実施の形態で説明したように、開空間Ａを閉鎖可能な扉１０５を支持アーム１６０及び案内アーム１７０を用いて側壁１３５の外側に開放可能な構成であればよいことから、その形状についても限定されるものではない。形状の一例として、図９（ａ）に示されるように、開口Ａ１と側壁２３５とが略直交して配置されて内側Ｂ１と外側Ｃとを隔てる平面視直角三角形状の筐体２０３に本発明の扉２０５、支持アーム２６０及び案内アーム２７０から構成され内側Ｂ２と外側Ｃとを隔てる扉機構２１０が適用されていてもよく、図９（ｂ）に示されるように、開口Ａ２に対して略１３５度傾斜して配置された側壁３３５を有する略平面視八角形状の筐体３０３に本発明の扉３０５、支持アーム３６０及び案内アーム３７０から構成され内側Ｂ３と外側Ｃとを隔てる扉機構３１０が適用されていてもよく、図９（ｃ）に示されるように、開口Ａ３の一端部から他端部にかけて半円弧状に延設された側壁４３５を有する平面視半円状の筐体４０３に本発明の扉４０５、支持アーム４６０及び案内アーム４７０から構成される扉機構４１０が適用されていてもよい。
【符号の説明】
【００６０】
１              展示ケース
３              基礎筐体
３Ａ            開口
３Ｂ            内側
４              展示筐体
４Ａ            開口
４Ｂ            内側
５              扉
６              二軸蝶番
７              案内アーム
１０            扉機構
３０            フレーム
３５            側壁
６０            支持アーム
１０５          扉
１０７          案内アーム
１１０          扉機構
１３５          側壁
１６０          支持アーム
Ａ              開空間（開口）
Ｂ              内側
Ｃ              外側
Ａ１〜Ａ３      開口
Ｂ１〜Ｂ３      内側
Ｆ１            支持固定軸
Ｆ１１          支持固定軸
Ｆ１２          案内固定軸
Ｆ２            案内固定軸
Ｌ１            線分
Ｌ２            線分
Ｍ１            支持移動軸
Ｍ１１          支持移動軸
Ｍ１２          案内移動軸
Ｍ２            案内移動軸
Ｔ１            支持誘導軌跡
Ｔ１１          支持誘導軌跡
Ｔ１２          案内誘導軌跡
Ｔ２            案内誘導軌跡
【図１】
2020066882.tif 000003
【図２】
2020066882.tif 000004
【図３】
2020066882.tif 000005
【図４】
2020066882.tif 000006
【図５】
2020066882.tif 000007
【図６】
2020066882.tif 000008
【図７】
2020066882.tif 000009
【図８】
2020066882.tif 000010
【図９】
2020066882.tif 000011